(57)【要約】【課題】押下ヘッドの外観形状や大きさを殆んど変えず、密封性を向上させ、使用の際に煩わしさがなく、確実に連通孔内の残留物の固化や液垂れを防止することを目的とする。【解決手段】押下ヘッド３０を押し下げることにより、容器本体２内の内容物が連通孔３０ｂ内に移送されてノズル３０ａから吐出される吐出容器１において、押下ヘッド３０の上壁部３０ｅに、孔３０ｆを形成し、連通孔３０ｂの内周面に、連通孔３０ｂ全周に亘って延在するリング状の弁座３０ｃを形成し、連通孔３０ｂの内側に、孔３０ｆ及び弁座３０ｃの内周孔３０ｄにそれぞれ挿通され上部が孔３０ｆから押下ヘッド３０の外部に突出された弁棒４０と、弁棒４０に設けられ弁座３０ｃの下方に配置された弁体４２と、弁棒４０及び弁体４２を上方へ付勢して弁体４２を弁座３０ｃに当接させる付勢材４１と、を備えるバルブ４を設ける。【選択図】図１
2008213849.tif 000002
【特許請求の範囲】
【請求項１】
内容物を収容する容器本体と、該容器本体の口部に取り付けられた吐出ポンプと、が備えられ、
該吐出ポンプには、前記内容物を吐出するノズルを有する押下ヘッドが備えられ、
該押下ヘッドには、該押下ヘッドの押し下げ方向に延在し前記ノズルに連通した連通孔が形成され、
前記押下ヘッドを押し下げることにより、前記容器本体内の内容物が前記連通孔に移送されて前記ノズルから吐出される吐出容器において、
前記押下ヘッドの上壁部には、孔が形成され、
前記連通孔の内周面には、該連通孔全周に亘って延在するリング状の弁座が形成され、
前記連通孔の内側には、前記孔及び前記弁座の内周孔にそれぞれ挿通され上部が前記孔から前記押下ヘッドの外部に突出された弁棒と、該弁棒に設けられ前記弁座の下方に配置された弁体と、前記弁棒及び前記弁体を上方へ付勢して前記弁体を前記弁座に当接させる付勢材と、を備えるバルブが設けられていることを特徴とする吐出容器。
【請求項２】
請求項１記載の吐出容器において、
前記押下ヘッドの上壁部に設けられ前記弁棒の上部を収容して密閉された可撓性を有するカバーが備えられていることを特徴とする吐出容器。
【請求項３】
請求項１または２記載の吐出容器において、
前記弁棒の上方に配置されたボタンと、前記押下ヘッドの上壁部に設けられ前記ボタンを前記押し下げ方向へ案内するボタンガイドと、が備えられていることを特徴とする吐出容器。
【発明の詳細な説明】
【技術分野】
【０００１】
本発明は、吐出容器に関する。
【背景技術】
【０００２】
従来から、容器本体の口部に吐出ポンプを取り付けた構成からなる吐出容器が提供されている。上記吐出ポンプには、ノズルを有する押下ヘッドが備えられており、また、この押下ヘッドには、ノズルに連通された連通孔が形成されている。このような吐出容器では、押下ヘッドを押し下げることで、容器本体内の内容物が連通孔を経由してノズルに送られてノズル先端から吐出される。
【０００３】
上記した構成からなる吐出容器では、ノズル先端が開放されている。このため、一旦使用した後の不使用期間中、ノズルに連通された連通孔の内部が外気に晒され、連通孔に残留した内容物が固化するという問題が生じる。
【０００４】
そこで、従来、押下ヘッドにレバー式のカバーを設ける技術が提案されている。この技術によれば、使用するときは、レバーを揺動させることでカバーが開けられてノズル先端が開放される。一方、前述の不使用期間中は、カバーが閉じられてノズル先端が閉塞される。このため、保管中、連通孔の内部が外気に晒されず、連通孔内における残留物の固化或いは液垂れを防止することができる。（例えば、特許文献１参照。）。
【０００５】
また、従来、押下ヘッドに着脱式のカバーを設ける技術が提案されている。この技術によれば、使用するときは、カバーが外され、ノズル先端が開放される。そして、使用後、押下ヘッドにカバーを着けることで、ノズル先端が閉塞される。このため、前述の不使用期間中、連通孔の内部が外気に晒されず、連通孔内における残留物の固化や液垂れを防止することができる。（例えば、特許文献２参照。）。
【特許文献１】特開平１０−２５８８６６号公報
【特許文献２】特開２００６−２０６１３５号公報
【発明の開示】
【発明が解決しようとする課題】
【０００６】
しかしながら、上記したレバー式のカバーを設ける従来技術では、押下ヘッドに被せるようにカバーが取り付けられるため、押下ヘッドの大きさが大きくなるという問題が生じるおそれがあった。
【０００７】
また、上記した着脱式のカバーを設ける従来技術では、使用する度にカバーを脱着させなければならず、煩わしさがあるという問題がある。また、使用後に、カバーを着け忘れたり、カバーが正確に着いていなかったり、カバーを紛失したりする場合があり、この場合、連通孔内の残留物の固化や液垂れを防止することができない。
【０００８】
本発明は、上記した従来の問題が考慮されたものであり、（１）押下ヘッドの外観形状や大きさを殆んど変えず、（２）密封性を向上させ、（３）使用の際に煩わしさがなく、（４）確実に連通孔内の残留物の固化や液垂れを防止することができる吐出容器を提供することを目的としている。
【課題を解決するための手段】
【０００９】
本発明に係る吐出容器は、内容物を収容する容器本体と、該容器本体の口部に取り付けられた吐出ポンプと、が備えられ、該吐出ポンプには、前記内容物を吐出するノズルを有する押下ヘッドが備えられ、該押下ヘッドには、該押下ヘッドの押し下げ方向に延在し前記ノズルに連通した連通孔が形成され、前記押下ヘッドを押し下げることにより、前記容器本体内の内容物が前記連通孔に移送されて前記ノズルから吐出される吐出容器において、前記押下ヘッドの上壁部には、孔が形成され、前記連通孔の内周面には、該連通孔全周に亘って延在するリング状の弁座が形成され、前記連通孔の内側には、前記孔及び前記弁座の内周孔にそれぞれ挿通され上部が前記孔から前記押下ヘッドの外部に突出された弁棒と、該弁棒に設けられ前記弁座の下方に配置された弁体と、前記弁棒及び前記弁体を上方へ付勢して前記弁体を前記弁座に当接させる付勢材と、を備えるバルブが設けられていることを特徴としている。
【００１０】
このような特徴により、不使用時は、バルブが閉じられて連通孔が密封される。すなわち、付勢材の付勢力によって上方に押し上げられた弁体が弁座に当接され、弁座の内周孔が閉塞され、弁座よりも下方の連通孔の内部が密封される。一方、使用時には、押下ヘッドの上面から突出した弁棒の上部を指等で押し下げることでバルブが開けられる。すなわち、弁棒が押し下げられると、弁棒に設けられた弁体も下がり、弁体と弁座との間に隙間があいて弁座の内周孔が開放され、内容物が通る通路が出来る。続いて、弁棒の上部を押し下げた指等でそのまま押下ヘッドを押し下げると、容器本体内の内容物が連通孔内に移送される。そして、当該内容物は、上記した隙間（通路）を通って上方に送られ、ノズルから吐出される。また、押し下げていた指等を押下ヘッドから離すと、吐出ポンプが復元され、内容物の供給が止まる。また、指等を押下ヘッドから離すと、バルブが復元されて閉じられる。すなわち、弁棒及び弁体が付勢材により付勢されて上方へ押し上げられ、弁体が弁座に当接される。これにより、弁座の内周孔が閉塞され、弁座よりも下方の連通孔の内部は密封される。
【００１１】
また、本発明に係る吐出容器は、前記押下ヘッドの上壁部に設けられ前記弁棒の上部を収容して密閉された可撓性を有するカバーが備えられていることが好ましい。
【００１２】
これにより、使用時には、指等でカバーの上から弁棒の上部を押し下げることで、バルブが開けられる。このとき、可撓性を有するカバーは、柔らかく変形し易いため、指等で押圧されて変形する。また、押下ヘッドの上壁部の孔から内容物が漏れても、カバー内に溜まり外部に漏れ出ない。また、使用後に、押し下げていた指等をカバーから離すと、吐出ポンプ及びバルブが復元され、カバーも元の形状に復元される。
【００１３】
また、本発明に係る吐出容器は、前記弁棒の上方に配置されたボタンと、前記押下ヘッドの上壁部に設けられ前記ボタンを前記押し下げ方向へ案内するボタンガイドと、が備えられていることが好ましい。
【００１４】
これにより、指等でボタンを押し下げると、ボタンがボタンガイドに案内されて押下ヘッドの押し下げ方向に沿って下降する。下降したボタンは、弁棒の上端面に当接され、弁棒の上部を押し下げ方向に沿って下方に押圧する。これにより、弁棒が押し下げ方向に沿って押し下げられてバルブが開けられる。さらに、ボタンを押し下げると、ボタンは、押下ヘッドの上壁部に当接され、押下ヘッドを押し下げ方向に沿って下方に押圧する。これにより、押下ヘッドが押し下げ方向に沿って押し下げられ、内容物が連通孔内に移送されてノズルから吐出される。また、押し下げていた指等をボタンから離すと、吐出ポンプ及びバルブが復元されるとともに、付勢材による付勢力によってボタンも復元される。すなわち、付勢材によって弁棒が上方へ押し上げられると、この弁棒によってボタンが上方に押圧される。これにより、ボタンは、ボタンガイドに案内されて押し下げ方向に沿って上昇し、元の位置に戻る。
【発明の効果】
【００１５】
本発明に係る吐出容器によれば、連通孔の内側にバルブを設けるため、押下ヘッドの外観形状や大きさを殆んど変えず製作することができる。また、付勢材によって弁体が弁座に押し付けられるため、連通孔内の密封性を向上させることができる。また、使用する際は、指等で弁棒の上部及び押下ヘッドを一度に押し下げるだけでよく、また、使用後は、指等を離すだけで、バルブが閉じられて連通孔が密閉されるので、使用の際に煩わしさが無く使い易く、また、バルブを閉め忘れたり正確に閉めなかったりバルブを紛失したりする問題がないため、連通孔内の残留物の固化や液垂れを確実に防止することができる。
【発明を実施するための最良の形態】
【００１６】
以下、本発明に係る吐出容器の第１〜第４の実施の形態について、図面に基いて説明する。なお、容器本体の口側（図１における上側）が上方であり、容器本体の底側（図１における下側）が下方である。また、図１に示す符号Ｏは、後述する押下ヘッド３０の軸線（ヘッド軸）を示している。
【００１７】
［第１の実施の形態］
本発明に係る吐出容器の第１の実施の形態について説明する。図１は第１の実施の形態における吐出容器１の破断図であり、図２は第１の実施の形態におけるスプリング栓４の斜視図であり、図３は第１の実施の形態における押下ヘッド３０の断面図である。
【００１８】
図１に示すように、吐出容器１は、液状の内容物を収容する容器本体２と、容器本体２の口部２ａに取り付けられた吐出ポンプ３と、を備える構成からなる。
吐出ポンプ３には、内容物を吐出するノズル３０ａを有する押下ヘッド３０が備えられている。
【００１９】
押下ヘッド３０は、ヘッド軸Ｏに沿って押し下げられる部材であり、容器本体２の口部２ａに装着されたキャップ５にキャップ軸（ヘッド軸Ｏ）方向に往復動可能に取り付けられている。詳しく説明すると、キャップ５の上壁部５ａ中央に形成された筒部５ｂに押下ヘッド３０の下部が挿装されており、押下ヘッド３０はキャップ５の上壁部５ａから上方に突出されている。
【００２０】
押下ヘッド３０には、ノズル３０ａに連通された連通孔３０ｂが形成されている。この連通孔３０ｂは、押下ヘッド３０の押し下げ方向に延在されており、その下方側が開放されている。また、連通孔３０ｂの内周面には、連通孔３０ｂの全周に亘って延在するリング状の被係止フランジ３０ｃ（弁座）が形成されている。この被係止フランジ３０ｃは、ノズル３０ａと後述するホルダー３１（発泡部材３９）との間の位置に配設されている。また、連通孔３０ｂの内周面には、連通孔３０ｂの軸方向（押下ヘッド３０の押し下げ方向）に延在する溝３０ｈが形成されている。この溝３０ｈは、上記した被係止フランジ３０ｃと後述するホルダー３１との間の範囲に亘って延在されている。また、この溝３０ｈは、連通孔３０ｂの周方向に間隔を置いて複数形成されている。
【００２１】
また、押下ヘッド３０の上壁部３０ｅには、連通孔３０ｂに連通されたピン孔３０ｆ（孔）が形成されている。このピン孔３０ｆは、ヘッド軸Ｏ上に形成されており、上記した被係止フランジ３０ｃの内周孔３０ｄと同一軸線上に形成されている。
【００２２】
連通孔３０ｂの内側には、図２に示すスプリング栓４（バルブ）が配置されている。図１、図２に示すように、スプリング栓４は、ピン４０（弁棒）と、スプリング４１（付勢材）と、係止フランジ４２（弁体）とから構成されている。これらピン４０とスプリング４１と係止フランジ４２とは、樹脂で一体成形されている。
【００２３】
ピン４０は、中空の円柱形状の部材であり、押下ヘッド３０の押し下げ方向に延設されている。このピン４０は、同一軸線上に形成されたピン孔３０ｆと被係止フランジ３０ｃの内周孔３０ｄとにそれぞれ挿通されている。ピン４０の上部はピン孔３０ｆから押下ヘッド３０の外部に突出され、ピン４０の下部は被係止フランジ３０ｃの内周孔３０ｄから当該被係止フランジ３０ｃの下方に突出されている。
【００２４】
係止フランジ４２は、ピン４０の全周に亘って延在するリング状の鍔部である。この係止フランジ４２は、ピン４０の下端部の外周面に設けられており、被係止フランジ３０ｃの下方に配設されている。また、リング状の係止フランジ４２の外径は、被係止フランジ３０ｃの内径（内周孔３０ｄの直径）よりも大きい。
【００２５】
スプリング４１は、上記したピン４０及び係止フランジ４２を上方へ付勢するつる巻きバネ状の付勢材である。スプリング４１は、係止フランジ４２の下面から垂設されており、押下ヘッド３０の押し下げ方向に延設され、ピン４０及び係止フランジ４２と同一軸線上に配設されている。また、スプリング４１は、係止フランジ４２の下面と後述する発泡部材３９の上端面との間に介在されており、発泡部材３９の上端面から反力をとる構成となっている。
【００２６】
また、図１に示すように、吐出ポンプ３には、液シリンダ３２Ａと、液ピストン３２Ｂ、弁部材３３と、ステム３４と、コイルスプリング３５と、エアシリンダ３６Ａと、エアピストン３６Ｂと、気液混合室３７と、液吐出弁３８と、発泡部材３９と、ホルダー３１と、が備えられている。
【００２７】
液シリンダ３２Ａは、筒状の部材であり、容器本体２内に配置され、押下ヘッド３０の押し下げ方向に延設されている。
液ピストン３２Ｂは、押下ヘッド３０の押し下げ方向に延在する筒状の部材であり、液シリンダ３２Ａの内部にヘッド軸Ｏに沿って往復動可能に配置されている。
弁部材３３は、押下ヘッド３０の押し下げ方向に延設されたロッド状の部材である。弁部材３３の下端には、液シリンダ３２Ａの下端開口部に着座／離反可能な弁体３３ａが設けられ、弁部材３３の上端には、液ピストン３２Ｂの上端開口部に着座／離反可能な弁体３３ｂが設けられている。
【００２８】
ステム３４は、押下ヘッド３０の押し下げ方向に延在する筒状の部材である。ステム３４の下部の内側には、液ピストン３２Ｂが挿嵌されている。また、ステム３４の上部は、押下ヘッド３０の連通孔３０ｂ内に挿嵌されている。
コイルスプリング３５は、押下ヘッド３０の押し下げ方向に延設され、液ピストン３２Ｂを上方に付勢する付勢部材である。コイルスプリング３５は、液シリンダ３２Ａの内部において液ピストン３２Ｂと弁部材３３の下端の弁体３３ａとの間に介装されている。なお、コイルスプリング３５の付勢力Ｆ１は、上記したスプリング栓４のスプリング４１の付勢力Ｆ２よりも大きい。
【００２９】
ホルダー３１は、発泡部材３９を保持する筒状の部材である。ホルダー３１は、押下ヘッド３０の連通孔３０ｂ内に挿嵌されており、連通孔３０ｂ内のスプリング栓４の下方に配置されている。ホルダー３１の下部は、ステム３４内に挿嵌されている。
発泡部材３９は、筒部の端面にメッシュ材を張った構成からなる部材であり、ホルダー３１内に保持されている。
気液混合室３７は、ステム３４の上部の内部に形成された室であり、ホルダー３１に連通されている。
【００３０】
エアシリンダ３６Ａは、押下ヘッド３０の押し下げ方向に延在する筒状の部材であり、液シリンダ３２Ａの上方に設けられている。
エアピストン３６Ｂは、エアシリンダ３６Ａの内部に摺動可能に配置されている。また、エアピストン３６Ｂは、押下ヘッド３０の下方に配置されており、押下ヘッド３０が下降すると押下ヘッド３０に押圧されて液シリンダ３２Ａ内で下降する構成となっている。
液吐出弁３８は、気液混合室３７内に配置された球状の部材である。液吐出弁３８は、気液混合室３７の液入口部３７ａに着座／離反可能に設けられている。
【００３１】
次に、上記した構成からなる吐出容器１の作用について説明する。
【００３２】
不使用時には、図３（ａ）に示すように、スプリング４１が発泡部材３９の上端面から反力をとって上方へ向けて付勢力Ｆ２が作用するため、ピン４０及び係止フランジ４２が上方に押し上げられる。これにより、係止フランジ４２が、被係止フランジ３０ｃに当接され、被係止フランジ３０ｃの内周孔３０ｄが閉塞され、当該被係止フランジ３０ｃよりも下方の連通孔３０ｂ内は密閉されている。
【００３３】
一方、使用時には、図３（ｂ）に示すように、まず、押下ヘッド３０のピン孔３０ｆから突出したピン４０の上部を指で押し下げる。ピン４０が押し下げられると、ピン４０に設けられた係止フランジ４２は、ピン４０とともに下降し、発泡部材３９の上端面に支持されたスプリング４１は、係止フランジ４２を介して押圧されて軸方向に圧縮変形される。係止フランジ４２が下降すると、係止フランジ４２と被係止フランジ３０ｃとの間に隙間があき、被係止フランジ３０ｃの内周孔３０ｄが開放される。これにより、内容物が通る通路ができる。なお、コイルスプリング３５の付勢力Ｆ１はスプリング栓４のスプリング４１の付勢力Ｆ２よりも大きいため、この段階では、コイルスプリング３５は圧縮変形せず、ステム３４及び液ピストン３２Ｂは下降しない。したがって、容器本体２内の内容物は連通孔３０ｂ内に移送されない。
【００３４】
続いて、ピン４０を押し下げた指でそのまま押下ヘッド３０の上壁部３０ｅを押圧して、押下ヘッド３０を押し下げる。押下ヘッド３０が押し下げられると、ステム３４及び液ピストン３２Ｂを介してコイルスプリング３５が圧縮変形されつつステム３４及び液ピストン３２Ｂが下降される。これによって、容器本体２内の内容物がステム３４内を通って気液混合室３７内に送られる。また、押下ヘッド３０が押し下げられると、押下ヘッド３０に押圧されてエアピストン３６Ｂがエアシリンダ３６Ａ内で下降する。エアピストン３６Ｂが下降すると、エアシリンダ３６Ａ内の空気が押し出されて気液混合室３７内に供給される。
【００３５】
上記したように押下ヘッド３０が押し下げられると、気液混合室３７内に内容物及び空気がそれぞれ供給され、これら内容物と空気とは気液混合室３７内において混合される。その後、空気が混合された内容物は、ホルダー３１内に送られ、ホルダー３１内の発泡部材３９を通過することで発泡される。発泡された内容物は、押下ヘッド３０の連通孔３０ｂ内に入り、連通孔３０ｂ内周面の溝３０ｈから被係止フランジ３０ｃの内周孔３０ｄを通って当該被係止フランジ３０ｃの上方に送られ、連通孔３０ｂからノズル３０ａに送られて、ノズル３０ａから吐出される。
【００３６】
また、使用後に、指を押下ヘッド３０から離すと、図３（ａ）に示すように、コイルスプリング３５の付勢力Ｆ１により、液ピストン３２Ｂが上方に付勢され、ステム３４及び押下ヘッド３０が上昇する。これにより、容器本体２内の内容物の移送が停止される。このとき、連通孔３０ｂ内の内容物は下方に流れ落ちてステム３４側に戻される。また、指等を押下ヘッド３０から離すと、スプリング栓４のピン４０及び係止フランジ４２がスプリング４１により付勢されて上方へ押し上げられ、係止フランジ４２が被係止フランジ３０ｃに当接される。これにより被係止フランジ３０ｃの内周孔３０ｄが閉塞され、当該被係止フランジ３０ｃよりも下方の連通孔３０ｂの内部が密封される。
【００３７】
上記した構成からなる吐出容器１によれば、連通孔３０ｂの内側にスプリング栓４を設置するだけであるため、押下ヘッド３０の外観形状や大きさを殆んど変えずに製作することができる。
また、スプリング栓４のスプリング４１によって係止フランジ４２が被係止フランジ３０ｃに押し付けられるため、連通孔３０ｂ内の密封性を向上させることができる。
【００３８】
また、使用する際は、指でピン４０の上部及び押下ヘッド３０を一度に押し下げるだけでよく、カバーを外したり揺動させたりする煩わしさが無く、使い易い。また、使用後も、押下ヘッド３０から指を離すだけで、スプリング栓４が閉じられて連通孔３０ｂが密閉されるので、カバーを着ける煩わしさが無く、また、スプリング栓４を閉め忘れたり正確に閉めなかったりスプリング栓４を紛失したりする問題がないため、確実に連通孔３０ｂ内を密閉することができ、連通孔３０ｂ内における残留物の固化や液垂れを確実に防止することができる。
【００３９】
［第２の実施の形態］
本発明に係る吐出容器の第２の実施の形態について説明する。なお、上述した第１の実施の形態と同様の構成については説明を省略する。図４は第２の実施の形態における押下ヘッド３０の断面図である。
【００４０】
図４（ａ）、図４（ｂ）に示すように、第２の実施の形態における吐出容器１０１では、押下ヘッド３０の上壁部３０ｅにカバー１０６が設けられている。このカバー１０６は、内部にピン１４０の上端を収容するドーム状の部材である。カバー１０６の外周部は、押下ヘッド３０の上壁部３０ｅに突設された被係止部３０ｉに係止される押さえ部材１０７により押下ヘッド３０の上壁部３０ｅに固定されており、カバー１０６の内部は密閉されている。また、カバー１０６は、可撓性を有する部材であり、例えばゴムや樹脂などからなる。
【００４１】
また、第２の実施の形態における吐出容器１０１では、押下ヘッド３０の上壁部３０ｅに押下ヘッド３０の押し下げ方向に延在する筒状のピン孔３０ｆ１が設けられており、このピン孔３０ｆ１の中にスプリング栓１０４のピン１４０が挿通されている。
【００４２】
また、スプリング栓１０４は、ピン１４０と、スプリング１４１と、係止フランジ１４２と、ガイド筒１４３とから構成されている。ピン１４０と係止フランジ１４２とガイド筒１４３とは一体に成形されており、スプリング１４１だけが別部品になっている。ガイド筒１４３は、ピン１４０及び係止フランジ１４２の昇降を案内するガイド部材であり、係止フランジ１４２の下面から垂設され、ヘッド軸Ｏに沿って延設されている。スプリング１４１は、係止フランジ１４２の下面とホルダー３１の上端面との間に介在されており、スプリング１４１の中にガイド筒１４３が配置されている。
【００４３】
上記した構成の吐出容器１０１では、使用時に、指でカバー１０６の上からピン１４０の上部を押し下げることで、スプリング栓１０４が開けられる。このとき、可撓性を有するカバー１０６は、柔らかく変形し易いため、指で押圧されて変形する。また、ピン１４０の上部を下方に押圧したとき、ピン１４０、係止フランジ１４２及びガイド筒１４３からなる部材が、筒状のピン孔３０ｆ１及びガイド筒１４３に案内されてヘッド軸Ｏに沿って真直ぐ下降する。さらに、ピン孔３０ｆ１から内容物が漏れても、カバー１０６内に溜まり外部に漏れ出ない。一方、使用後に、指をカバー１０６から離すと、吐出ポンプ３及びスプリング栓１０４が復元される。このとき、カバー１０６も元の形状に復元される。
【００４４】
上記した構成からなる吐出容器１０１によれば、ピン孔３０ｆ１から内容物が漏れてもカバー１０６の外部に漏れ出すことがないため、漏出した内容物が押下ヘッド３０を押す指に付着することがなく、指が内容物で汚れることを防止することができる。
【００４５】
また、上記した構成からなる吐出容器１０１によれば、筒状のピン孔３０ｆ１とガイド筒１４３によってピン１４０、係止フランジ１４２及びガイド筒１４３からなる部材がヘッド軸Ｏに沿って真直ぐ下降するため、操作性を向上させることができる。なお、筒状のピン孔３０ｆ１及びガイド筒１４３のうちの何れか一方だけでも操作性を向上させることができる。
【００４６】
［第３の実施の形態］
本発明に係る吐出容器の第３の実施の形態について説明する。なお、上述した第１、第２の実施の形態と同様の構成については説明を省略する。図５は第３の実施の形態における押下ヘッド３０の断面図である。
【００４７】
図５（ａ）、図５（ｂ）に示すように、第３の実施の形態における吐出容器２０１では、ピン４０の上部及びカバー１０６の上方にボタン２０８が配置されているとともに、押下ヘッド３０の上壁部３０ｅにボタンガイド２０９が設けられている。
【００４８】
ボタン２０８は、上壁部２０８ａと、上壁部２０８ａの下面中央に垂設された円柱形状の押圧部２０８ｂと、上壁部２０８ａの外周縁に垂設された円筒形状の側壁部２０８ｃと、側壁部２０８ｃの外側に突出され側壁部２０８ｃの下端部全周に亘って形成された鍔状の係止部２０８ｄとから構成されている。押圧部２０８ｂは、ピン４０と同一軸線上に配設されている。
【００４９】
ボタンガイド２０９は、ボタン２０８を押下ヘッド３０の押し下げ方向に案内するための部材であり、押下ヘッド３０の上壁部３０ｅに突設され押下ヘッド３０の押し下げ方向に延設された円筒形状の側壁部２０９ａと、側壁部２０９ａの内側に突出され側壁部２０９ａの上端部全周に亘って形成されたリング状の被係止部２０９ｂとから構成されている。
【００５０】
上記した構成の吐出容器２０１では、使用時に、ボタン２０８の上壁部２０８ａの上面を指で押圧すると、ボタン２０８は、ボタンガイド２０９の側壁部２０９ａに沿って下降し、押下ヘッド３０の押し下げ方向に真直ぐ押し下げられる。そして、押圧部２０８ｂの下端面がカバー１０６を介してピン４０の上端面に当接され、ピン４０は押下ヘッド３０の押し下げ方向に真直ぐ押圧される。これにより、ピン４０が押し下げられ、スプリング栓４が開けられる。
【００５１】
続いて、ボタン２０８を更に押し下げると、ボタン２０８の係止部２０８ｄが押下ヘッド３０の被係止部３０ｉに当接され、押下ヘッド３０はヘッド軸Ｏに沿って真直ぐ下方に押圧される。これにより、押下ヘッド３０が押し下げられ、内容物が連通孔３０ｂ内に移送されてノズル３０ｂから吐出される。
【００５２】
また、指をボタン２０８から離すと、吐出ポンプ３及びスプリング栓４が復元される。このとき、スプリング４１によって上方へ押し上げられたピン４０がボタン２０８の押圧部２０８ｂを押圧する。これにより、ボタン２０８は、ボタンガイド２０９の側壁部２０９ａに沿って上昇し、押下ヘッド３０の押し下げ方向に真直ぐ押し上げられ、押し下げ前の元の位置に戻る。
【００５３】
上記した構成からなる吐出容器２０１によれば、ボタン２０８がボタンガイド２０９によって押下ヘッド３０の押し下げ方向に案内されるため、ピン４０を押下ヘッド３０の押し下げ方向に沿って真直ぐ押し下げることができ、操作性を向上させることができる。
【００５４】
［第４の実施の形態］
本発明に係る吐出容器の第４の実施の形態について説明する。なお、上述した第１、第２、第３の実施の形態と同様の構成については説明を省略する。図６は第４の実施の形態における押下ヘッド３０の断面図である。
【００５５】
図６（ａ）、図６（ｂ）に示すように、第４の実施の形態における吐出容器３０１では、スプリング栓３０４のスプリング３４１が押下ヘッド３０の外部に配設されている。詳しく説明すると、スプリング栓３０４は、天板部３４３と、天板部３４３の下面中央に垂設されたピン３４０と、ピン３４０の下端に設けられた拡径部３４２（弁体）と、天板部３４３の下面と押下ヘッド３０の上壁部３０ｅの上面との間に介在された押下ヘッド３０の押し下げ方向に延在するスプリング３４１とから構成されている。ピン３４０と拡径部３４２と天板部３４３とは一体に成形されており、スプリング３４１だけが別部品となっている。拡径部３４２の径は、被係止フランジ３０ｃの内径よりも大きく、また、拡径部３４２は、被係止フランジ３０ｃの下方に配置されている。
【００５６】
上記した構成の吐出容器３０１では、不使用時に、図６（ａ）に示すように、スプリング３４１が押下ヘッド３０の上壁部３０ｅから反力をとって、ピン３４０、拡径部３４２及び天板部３４３を上方に付勢する。これにより、拡径部３４２が、被係止フランジ３０ｃに当接され、被係止フランジ３０ｃの内周孔３０ｄが閉塞される。
一方、使用時には、図６（ｂ）に示すように、カバー１０６の上から天板部３４３を指で押圧することでピン３４０を押し下げる。これにより、ピン３４０とともに拡径部３４２が下降し、被係止フランジ３０ｃの内周孔３０ｄが開放される。
【００５７】
上記した構成からなる吐出容器３０１によれば、スプリング３４１によってピン３４０がヘッド軸Ｏに案内されているため、操作性を向上させることができる。
また、連通孔３０ｂ内にスプリング３４１が配置されていないため、連通孔３０ｂ内において内容物が流れ易くなり、ノズル３０ａから十分な量の内容物を確実に吐出させることができる。
【００５８】
以上、本発明に係る吐出容器の実施の形態について説明したが、本発明は上記した実施の形態に限定されるものではなく、その趣旨を逸脱しない範囲で適宜変更可能である。
例えば、上記した第１〜第４の実施の形態では、スプリング栓４、１０４、３０４の付勢材として、コイルバネ状のスプリング４１、１４１、３４１が用いられているが、本発明は、他の付勢材を用いることも可能である。
【００５９】
例えば、図７に示すように、鉛直面に沿って配置された楕円リング状の弾性体４４３を有する付勢材４４１を用いることができる。この付勢材４４１の下端部には、ホルダー３１の上端面に当接されて反力をとるベース４４４が設けられており、ピン４０とベース４４４との間に楕円リング状の弾性体４４３が配置されている。この付勢材４４１によれば、指でピン４０を押し下げると、楕円リング状の弾性体４４３が、図７（ａ）に示す状態から図７（ｂ）に示す潰れた状態に変形する。一方、ピン４０から指を離すと、楕円リング状の弾性体４４３は、その弾性力により図７（ｂ）に示す潰れた状態から図７（ａ）に示す元の状態に戻る。これにより、ピン４０及び係止フランジ４２が上昇する。
【００６０】
また、図８、図９に示すように、係止フランジ４２の外側に配置された筒状体５４４と、この筒状体５４４と上記係止フランジ４２との間に架設された複数の弾性体５４３とからなる付勢材５４１を用いることもできる。上記筒状体５４４は、被係止フランジ３０ｃの下面に固定されている。この付勢材５４１によれば、指でピン４０を押し下げると、複数の弾性体５４３が弾性変形する。一方、ピン４０から指を離すと、弾性体５４３が、元の状態に戻る。これにより、ピン４０及び係止フランジ４２が上昇する。
【００６１】
また、上記した実施の形態では、エアシリンダ３６Ａ、エアピストン３６Ｂ、気液混合室３７、液吐出弁３８、発泡部材３９及びホルダー３１が備えられ、容器本体２内の内容物を発泡させた状態で吐出させるフォーマーポンプの例を説明しているが、本発明はこれに限定されるものではなく、エアシリンダ３６Ａ、エアピストン３６Ｂ、気液混合室３７、液吐出弁３８、発泡部材３９及びホルダー３１が無く、容器本体２内の内容物をそのままの状態で吐出させる吐出容器であってもよい。
【００６２】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００６３】
【図１】本発明の第１の実施の形態を説明するための吐出容器の破断図である。
【図２】本発明の第１の実施の形態を説明するためのバルブの斜視図である。
【図３】本発明の第１の実施の形態を説明するための押下ヘッドの断面図である。
【図４】本発明の第２の実施の形態を説明するための押下ヘッドの断面図である。
【図５】本発明の第３の実施の形態を説明するための押下ヘッドの断面図である。
【図６】本発明の第４の実施の形態を説明するための押下ヘッドの断面図である。
【図７】本発明の他の実施の形態を説明するための押下ヘッドの断面図である。
【図８】本発明の他の実施の形態を説明するための押下ヘッドの断面図である。
【図９】本発明の他の実施の形態を説明するためのバルブの斜視図である。
【符号の説明】
【００６４】
１、１０１、２０１、３０１  吐出容器
２  容器本体
２ａ  口部
３  吐出ポンプ
３０  押下ヘッド
３０ａ  ノズル
３０ｂ  連通孔
３０ｃ  被係止フランジ（弁座）
３０ｄ  内周孔
３０ｅ  上壁部
３０ｆ、３０ｆ１  ピン孔（孔）
４、１０４、３０４  スプリング栓（バルブ）
４０、１４０、３４０  ピン（弁棒）
４１、１４１、３４１  スプリング（付勢材）
４２、１４２  係止フランジ（弁体）
１０６  カバー
２０８  ボタン
２０９  ボタンガイド
３４２  拡径部（弁体）
４４１、５４１  付勢材
【図１】
2008213849.tif 000003
【図２】
2008213849.tif 000004
【図３】
2008213849.tif 000005
【図４】
2008213849.tif 000006
【図５】
2008213849.tif 000007
【図６】
2008213849.tif 000008
【図７】
2008213849.tif 000009
【図８】
2008213849.tif 000010
【図９】
2008213849.tif 000011